(57)【要約】      （修正有）【課題】戸パネルの下端側をガイドするガイド部材の少数化を図りながらも、凹溝への挿入不良を抑制し得る引戸装置を提供する。【解決手段】上レールに吊下支持される戸パネル２０と、戸パネルの下端部に設けられた凹溝３０に挿入されるガイド部４３を有したガイド部材４０と、を備えた引戸装置１であって、ガイド部材は、第１のガイド部材４０Ａのガイド部が凹溝に挿入された状態から第１のガイド部材に加えて第２のガイド部材４０Ｂのガイド部が凹溝に挿入される状態が生じるように、スライド方向に間隔を空けて複数箇所に配置される構成とされており、凹溝の両側の溝内壁３３には、スライド方向先側に配置される第２のガイド部材のガイド部が凹溝に挿入されていない状態で、戸パネルの下端側が戸厚方向に変位した際に第１のガイド部材のガイド部に引っ掛かるように係止し、戸パネルのスライド方向先側への移動を抑制する凸部３４が設けられている。【選択図】図１
2018155002.tif 000002
【特許請求の範囲】
【請求項１】
戸幅方向にスライド自在に上レールに吊下支持される戸パネルと、該戸パネルの下端部に戸幅方向の全体に亘って設けられた凹溝に挿入されるガイド部を有したガイド部材と、を備えた引戸装置であって、
前記ガイド部材は、第１のガイド部材のガイド部が前記凹溝に挿入された状態から該第１のガイド部材に加えて第２のガイド部材のガイド部が前記凹溝に挿入される状態が生じるように、スライド方向に間隔を空けて複数箇所に配置される構成とされており、
前記戸パネルの凹溝の溝幅方向両側の溝内壁には、スライド方向先側に配置される前記第２のガイド部材のガイド部が該凹溝に挿入されていない状態で、前記戸パネルの下端側が戸厚方向に変位した際に該第１のガイド部材のガイド部に引っ掛かるように係止し、該戸パネルのスライド方向先側への移動を抑制する凸部が溝幅方向中央側に向けて突出するように設けられていることを特徴とする引戸装置。
【請求項２】
請求項１において、
前記凹溝の溝幅方向両側の溝内壁の凸部の戸幅方向外側に向く面は、突出方向先端から基端側の溝内壁に向けて下るように傾斜する傾斜面とされていることを特徴とする引戸装置。
【請求項３】
請求項１または２において、
前記凸部は、前記凹溝の戸幅方向両端部の溝幅方向両側の溝内壁に設けられていることを特徴とする引戸装置。
【請求項４】
請求項１乃至３のいずれかにおいて、
前記凹溝は、前記凸部よりも戸幅方向外側部位の溝幅が戸幅方向中央側部位の溝幅よりも大とされていることを特徴とする引戸装置。
【請求項５】
請求項１乃至４のいずれか１項において、
前記戸パネルは、戸厚方向に重合するように引き違い状に配設され、連動機構によって連動される三枚の戸パネルのうちの中央戸パネルであることを特徴とする引戸装置。
【発明の詳細な説明】
【技術分野】
【０００１】
本発明は、戸幅方向にスライド自在とされた戸パネルを備えた引戸装置に関する。
【背景技術】
【０００２】
従来より、戸幅方向にスライド自在に上レールに吊下支持される戸パネルを備えた引戸装置が知られている。このようにいわゆる上吊型で支持される戸パネルは、その下端側が戸厚方向に振れ易くなるため、下端側をガイドするガイド部材が設けられる。
例えば、下記特許文献１には、引戸パネルの下端部の凹溝に挿入されるガイドピンを有した下端ガイド部材を備えた引戸装置が開示されている。また、この引戸装置は、開閉に伴い移動する引戸パネルの直下に少なくとも一つが存在するように複数箇所に配置される下端ガイド部材を備えた構成とされている。
【先行技術文献】
【特許文献】
【０００３】
【特許文献１】特開２０１４−１５６７２１号公報
【発明の概要】
【発明が解決しようとする課題】
【０００４】
しかしながら、上記のような引戸装置においては、引戸パネルが開閉方向にスライドする際に、一つのガイドピンが凹溝に挿入された状態から二つ目のガイドピンが凹溝に挿入される状態が生じることがある。このような際に、戸厚方向に押圧されたり、引っ張られたりするなどして引戸パネルの下端側が戸厚方向に変位すれば、スライド方向先側に配置される二つ目のガイドピンが凹溝に挿入され難くなることが考えられる。このような問題は、開閉に伴い移動する引戸パネルの直下に常に少なくとも二つの下端ガイド部材が存在するように戸幅方向に間隔を空けて複数の下端ガイド部材を設けた構成とすれば、生じ難くなることも考えられるが、多数の下端ガイド部材が必要となる。
【０００５】
本発明は、上記実情に鑑みてなされたものであり、戸パネルの下端側をガイドするガイド部材の少数化を図りながらも、凹溝への挿入不良を抑制し得る引戸装置を提供することを目的としている。
【課題を解決するための手段】
【０００６】
上記目的を達成するために、本発明に係る引戸装置は、戸幅方向にスライド自在に上レールに吊下支持される戸パネルと、該戸パネルの下端部に戸幅方向の全体に亘って設けられた凹溝に挿入されるガイド部を有したガイド部材と、を備えた引戸装置であって、前記ガイド部材は、第１のガイド部材のガイド部が前記凹溝に挿入された状態から該第１のガイド部材に加えて第２のガイド部材のガイド部が前記凹溝に挿入される状態が生じるように、スライド方向に間隔を空けて複数箇所に配置される構成とされており、前記戸パネルの凹溝の溝幅方向両側の溝内壁には、スライド方向先側に配置される前記第２のガイド部材のガイド部が該凹溝に挿入されていない状態で、前記戸パネルの下端側が戸厚方向に変位した際に該第１のガイド部材のガイド部に引っ掛かるように係止し、該戸パネルのスライド方向先側への移動を抑制する凸部が溝幅方向中央側に向けて突出するように設けられていることを特徴とする。
【発明の効果】
【０００７】
本発明に係る引戸装置は、上述のような構成としたことで、戸パネルの下端側をガイドするガイド部材の少数化を図りながらも、凹溝への挿入不良を抑制することができる。
【図面の簡単な説明】
【０００８】
【図１】（ａ）、（ｂ）は、本発明の一実施形態に係る引戸装置の一例を模式的に示し、図２（ｂ）におけるＸ１−Ｘ１線矢視に対応させた一部破断概略横断面図である。
【図２】（ａ）、（ｂ）は、一部破断概略正面図である。
【図３】（ａ）は、図２（ａ）におけるＸ２−Ｘ２線矢視に対応させた一部破断概略横断面図、（ｂ）は、図２（ｂ）におけるＸ３−Ｘ３線矢視に対応させた一部破断概略横断面図である。
【図４】図２（ｂ）におけるＹ−Ｙ線矢視に対応させた一部破断概略縦断面図である。
【図５】（ａ）、（ｂ）は、本発明の他の実施形態に係る引戸装置の一例をそれぞれ模式的に示す一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る引戸装置を施工した状態を基準として上下方向等の方向を説明する。
【００１０】
図１〜図４は、第１実施形態に係る引戸装置の一例を模式的に示す図である。
本実施形態に係る引戸装置１は、図２に示すように、戸幅方向にスライド自在に上レール３６に吊下支持される戸パネル２０を備えている。また、引戸装置１は、図４に示すように、この戸パネル２０の下端部に設けられた凹溝３０に挿入されるガイド部４３を有したガイド部材４０を備えている。このような構成とすれば、床側に下枠や下レール等を設ける必要がなく、床側の段差等を生じ難くすることができる。
本実施形態では、この引戸装置１を、戸厚方向に重合するように引き違い状に配設され、連動機構２７，２８によって連動される三枚の戸パネル１０Ａ，１０Ｂ，２０を備えた構成としている。つまり、引戸装置１は、三枚連動式とされている。このような構成とすれば、戸厚方向外側の戸パネル１０Ａ，１０Ｂの移動に連動させて中央戸パネル２０を戸幅方向に移動させることができる。また、本実施形態では、これら三枚の戸パネル１０Ａ，１０Ｂ，２０のうちの中央戸パネル２０を、ガイド部材４０に下端側がガイドされる戸パネルとしている。
【００１１】
これら戸パネル１０Ａ，１０Ｂ，２０は、図２〜図４に示すように、住居等の建物の壁体２を貫通するように設けられた開口部に配設され開口枠（戸枠）を構成する上枠３及び両側の縦枠４Ａ，４Ｂによって区画された開口５に配設される。この開口５は、上側が上枠３（上レール３６）によって区画され、開口幅方向両側が両側の縦枠４Ａ，４Ｂによって区画され、下側が床によって区画されている。
上枠３は、戸幅方向に長尺状とされ、開口部の開口幅に応じた長さ寸法とされている。この上枠３の下面側には、図４に示すように、上レール３６を受け入れる凹溝が長手方向に延びるように、かつ下方側に向けて開口するように設けられている。図例では、上レール３６の上側部位のみを受け入れる凹溝を上枠３に設けた例を示しているが、上レール３６の略全体を受け入れる凹溝を上枠３に設けた態様としてもよい。
【００１２】
両側の縦枠４Ａ，４Ｂは、戸高方向（上下方向）に長尺状とされ、開口部の開口高に応じた長さ寸法とされている。これら両側の縦枠４Ａ，４Ｂの互いに向き合う各内側面には、互いに向き合う方向に開口し、戸パネル１０Ａ，１０Ｂの戸幅方向の端部を受け入れる戸じゃくり溝が長手方向に延びるように設けられている。
これら両側の縦枠４Ａ，４Ｂと上枠３とは、上枠３の長手方向の各端面に、両側の縦枠４Ａ，４Ｂの内側面の上端部を突き合わせ、適宜の止具によって三方枠状に枠組みされた状態で、開口部の適宜の枠下地に固定されるものでもよい。
なお、図例では、これら両側の縦枠４Ａ，４Ｂ及び上枠３を、固定枠状とした例を示しているが、額縁状部材を備えたいわゆるケーシング枠としてもよい。
【００１３】
上レール３６は、開口幅方向に長尺状とされ、各戸パネル１０Ａ，１０Ｂ，２０の上端側をガイドするガイド溝３７Ａ，３７Ｂ，３８を長手方向に延びるように設けた構成とされている。また、上レール３６は、図４に示すように、各戸パネル１０Ａ，１０Ｂ，２０の移動軌跡に対応させて、壁体２の壁厚方向（戸厚方向と同方向）に間隔を空けて三列のガイド溝３７Ａ，３７Ｂ，３８を並列状に設けた構成とされている。壁厚方向一方側の第１ガイド溝３７Ａは、戸厚方向一方側の第１戸パネル１０Ａを吊下支持する。壁厚方向他方側の第２ガイド溝３７Ｂは、戸厚方向他方側の第２戸パネル１０Ｂを吊下支持する。これら第１ガイド溝３７Ａと第２ガイド溝３７Ｂとの間の中央ガイド溝３８は、戸厚方向中央の中央戸パネル２０を吊下支持する。
【００１４】
これらガイド溝３７Ａ，３７Ｂ，３８は、上板部及び両側板部によって区画され、縦断面形状（長手方向に見た形状）が、下方に向けて開口する略コ字状（略Ｕ字状または略Ｃ字状）とされている。また、両側板部の下端縁部に、互いに向き合う方向に突出する案内片がそれぞれに設けられている。これら両案内片によって、後記する各戸パネル１０Ａ，１０Ｂ，２０のランナー部材１４Ａ，１５Ａ，１４Ｂ，１５Ｂ，２５，２６のローラー等が当該上レール３６の長手方向に沿って転動自在に支持される。このような構成により、上レール３６は、当該上レール３６に対して各戸パネル１０Ａ，１０Ｂ，２０を戸幅方向に沿ってスライド自在に吊下支持する構成とされている。
【００１５】
また、本実施形態では、第１ガイド溝３７Ａ及び第２ガイド溝３７Ｂを、略同高さに設け、中央ガイド溝３８を、これら第１ガイド溝３７Ａ及び第２ガイド溝３７Ｂよりも上側に位置するように設けている。また、中央ガイド溝３８の下側に、後記する連動機構２７，２８を受け入れる受入溝３９を設けている。この受入溝３９は、見込み方向（壁体２の壁厚方向に沿う方向）で、第１ガイド溝３７Ａと第２ガイド溝３７Ｂとの間に設けられている。
これらガイド溝３７Ａ，３７Ｂ，３８及び受入溝３９は、上レール３６の全長に亘って設けられている。
なお、上レール３６は、上記のような形状に一体的に形成されたものでもよく、複数部材から構成されたものでもよい。また、上レール３６は、ねじや釘等の止具や、接着剤等によって上枠３に固定されるものでもよい。
【００１６】
また、図２及び図４では、上枠３の上側に垂れ壁を設けた例を示しているが、上枠３を天井に沿わせるように設けたり、天井に埋め込むように設けたりしてもよい。また、上枠３に上レール３６を設けた態様に代えて、上レール３６自体を直接的に上枠下地等に固定する態様としてもよい。この場合は、縦枠４Ａ，４Ｂも設けないようにしてもよく、例えば、開口５の両側の内側面を無枠状の内装仕上面としてもよい。
また、上レール３６を含み、開口枠を構成する上枠３及び両側の縦枠４，４は、当該引戸装置１が備えたものでもよい。
【００１７】
各戸パネル１０Ａ，１０Ｂ，２０は、略矩形平板状とされている。これら戸パネル１０Ａ，１０Ｂ，２０の戸高寸法は、図２及び図４に示すように、床面近傍から上レール３６近傍に至るまでの寸法とされており、互いに略同寸法とされている。また、これら戸パネル１０Ａ，１０Ｂ，２０の戸厚寸法は、例えば、２０ｍｍ〜４０ｍｍ程度とされており、互いに略同寸法とされている。
また、本実施形態では、戸厚方向両側の戸パネル１０Ａ，１０Ｂの戸幅寸法を、中央戸パネル２０の戸幅寸法よりも大きい寸法としている。本実施形態では、第１戸パネル１０Ａ及び第２戸パネル１０Ｂの戸幅寸法を、互いに略同寸法とし、中央戸パネル２０の戸幅寸法に、後記する引手としての把手１２，１３が設けられた開閉側端部の戸幅寸法を足し合わせた寸法としている。これら各戸パネル１０Ａ，１０Ｂ，２０の戸幅寸法は、図２（ａ）及び図３（ａ）に示すように、閉鎖状態で隣り合う戸パネル同士の戸幅方向の端部が戸厚方向に重合するように、開口５の開口幅（両縦枠４Ａ，４Ｂ間の寸法）に応じて、適宜、設定するようにしてもよい。
【００１８】
戸厚方向両側の第１戸パネル１０Ａ及び第２戸パネル１０Ｂは、それぞれの開閉操作される側の端部（開閉側端部）の戸厚方向両側にそれぞれ突出するように把手１２，１３，１２，１３を設けた構成とされている。これら第１戸パネル１０Ａ及び第２戸パネル１０Ｂの開閉側端部は、閉鎖状態（図２（ａ）及び図３（ａ）に示す状態）で、各縦枠４Ａ，４Ｂにそれぞれ近接または当接する側の戸幅方向の端部である。
各把手１２，１３，１２，１３は、略同様の構成とされており、上下方向に延びる棒状（バー状）の把持部を備えた構成とされている。
また、各戸パネル１０Ａ，１０Ｂの外側（反壁心側）に突出する外側把手１２，１２と中央側に突出する中央側把手１３，１３とは、各戸パネル１０Ａ，１０Ｂの戸幅方向で略一致する位置に設けられている。これら外側把手１２，１２及び中央側把手１３，１３は、壁体２の壁厚方向のいずれ側においても、また、右引き及び左引きのいずれ側にも開閉操作が可能なように設けられている。
【００１９】
また、戸厚方向両側の戸パネル１０Ａ，１０Ｂの中央側把手１３，１３は、図３（ｂ）に示すように、各戸パネル１０Ａ，１０Ｂ，２０同士を最大限戸厚方向に重合させて全開された際に、他の戸パネル１０Ａ，１０Ｂ，２０に当接しない構成とされている。当該引戸装置１の適所には、このように中央側把手１３，１３が当接しないように、中央戸パネル２０に対する戸厚方向両側の戸パネル１０Ａ，１０Ｂのそれぞれの開放側への移動を阻止するストッパー部が設けられている。
本実施形態では、全開状態で第１戸パネル１０Ａの反開閉側端面１１Ａと中央戸パネル２０の一方の縦枠（第１縦枠）４Ａ側に向く戸幅方向一方側の第１端面２１とを戸幅方向で略一致させるように、第１戸パネル１０Ａの上記開放側への移動が阻止される構成としている。つまり、第１戸パネル１０Ａは、中央戸パネル２０と最大限戸厚方向に重合して全開された際に、その反開閉側端面１１Ａと中央戸パネル２０の第１端面２１とが略同一平面状となる位置で中央戸パネル２０に対する上記開放側への移動が阻止される。
【００２０】
また、全開状態で第２戸パネル１０Ｂの反開閉側端面１１Ｂと中央戸パネル２０の他方の縦枠（第２縦枠）４Ｂ側に向く戸幅方向他方側の第２端面２３とを戸幅方向で略一致させるように、第２戸パネル１０Ｂの上記開放側への移動が阻止される構成としている。つまり、第２戸パネル１０Ｂは、中央戸パネル２０と最大限戸厚方向に重合して全開された際に、その反開閉側端面１１Ｂと中央戸パネル２０の第２端面２３とが略同一平面状となる位置で中央戸パネル２０に対する上記開放側への移動が阻止される。
なお、図２（ｂ）及び図３（ｂ）では、全開状態で、第１縦枠４Ａ側に出入口を形成した例を示しているが、第２縦枠４Ｂ側に出入口を形成することも可能である。また、図２（ｂ）において二点鎖線にて示すように、全開状態で、これら戸パネル１０Ａ，１０Ｂ，２０を、開口５の戸幅方向の途中部位に位置させることも可能な構成とされている。また、引手としては、上記のような棒状の把持部を備えた把手１２，１３に限られず、戸厚方向両面側において凹状に設けられたものでもよい。
【００２１】
また、各戸パネル１０Ａ，１０Ｂ，２０の上端部には、図３及び図４に示すように、上記した上レール３６に支持されるランナー部材１４Ａ，１５Ａ，１４Ｂ，１５Ｂ，２５，２６が連結固定されている。図例では、各戸パネル１０Ａ，１０Ｂ，２０の上端部の戸幅方向両端部のそれぞれにランナー部材１４Ａ，１５Ａ，１４Ｂ，１５Ｂ，２５，２６を設けた例を示している。このようなランナー部材１４Ａ，１５Ａ，１４Ｂ，１５Ｂ，２５，２６としては、水平軸廻りに回転し、上レール３６の各ガイド溝３７Ａ，３７Ｂ，３８の両案内片上を転動するローラーを備えたものとしてもよい。図例では、戸厚方向及び戸幅方向に複数のローラーを備えたランナー部材１４Ａ，１５Ａ，１４Ｂ，１５Ｂ，２５，２６を例示している。
なお、上レール３６の第１ガイド溝３７Ａ及び第２ガイド溝３７Ｂに、閉鎖状態の第１戸パネル１０Ａ及び第２戸パネル１０Ｂの開閉側端部の上端部に設けられたランナー部材１４Ａ，１４Ｂを捕捉するキャッチ部を設けた構成としてもよい。
【００２２】
連動機構２７，２８は、戸厚方向両側の第１戸パネル１０Ａ及び第２戸パネル１０Ｂのうちのいずれか一方のスライド移動に連動させて中央戸パネル２０をスライドさせる構成とされている。
本実施形態では、この連動機構２７，２８を、中央戸パネル２０の戸幅方向両端部にそれぞれ回転自在に設けられた回転車２７，２７と、これら回転車２７，２７に巻き掛けられた無端状伝動体２８と、を備えたものとしている。本実施形態では、これら回転車２７，２７及び無端状伝動体２８を、中央戸パネル２０の上端側に設けている。
回転車２７，２７は、軸方向を上下方向に沿わせた回転軸２７ａ，２７ａ回りに回転自在とされ、例えば、滑車（プーリー）とされている。これら回転車２７，２７は、各回転軸２７ａ，２７ａを円心とする略同径の略円盤形状とされ、その外周には、無端状伝動体２８としてのワイヤーが係合して掛けられる係合溝が周方向に沿って形成されている。なお、無端状伝動体２８としては、ワイヤーに限られず、ベルトやボールチェーン等の他の紐状体としてもよい。また、回転車２７，２７としては、滑車に限られず、歯車（スプロケット）等、他の回転車としてもよい。この場合は、無端状伝動体２８を回転車２７，２７の構成に応じて、チェーン等とすればよい。
【００２３】
また、これら回転車２７，２７は、中央戸パネル２０の戸幅方向両端部にそれぞれ設けられたランナー部材２５，２６の下方側にそれぞれ位置するように設けられ、上記した上レール３６の受入溝３９に収容されている（図４参照）。
無端状伝動体２８は、これら回転車２７，２７が同一方向に回転するよう平行状に巻き掛けられている。この無端状伝動体２８と第１戸パネル１０Ａとは、第１連結部１６Ａによって連結され、無端状伝動体２８と第２戸パネル１０Ｂとは、第２連結部１６Ｂによって連結されている。
第１連結部１６Ａは、図３及び図４に示すように、第１戸パネル１０Ａの開閉操作される側とは異なる側の反開閉側端部の上端部に設けられたランナー部材１５Ａと無端状伝動体２８とを連結するように設けられている。この第１連結部１６Ａは、両回転車２７，２７に巻き掛けられた無端状伝動体２８の戸厚方向一方側部位に連結されている。
第２連結部１６Ｂは、第２戸パネル１０Ｂの開閉操作される側とは異なる側の反開閉側端部の上端部に設けられたランナー部材１５Ｂと無端状伝動体２８とを連結するように設けられている。この第２連結部１６Ｂは、両回転車２７，２７に巻き掛けられた無端状伝動体２８の戸厚方向他方側部位に連結されている。
【００２４】
これら第１連結部１６Ａ及び第２連結部１６Ｂは、無端状伝動体２８に対して無端状伝動体２８の延びる方向（戸幅方向）に移動不能に固定されている。
また、これら第１連結部１６Ａ及び第２連結部１６Ｂは、第１戸パネル１０Ａ及び第２戸パネル１０Ｂの反開閉側端部側のランナー部材１５Ａ，１５Ｂに一体的に設けられたものでもよく、または、適宜の締結具等によって連結固定されたものでもよい。
このような構成により、第１戸パネル１０Ａ及び第２戸パネル１０Ｂのうちのいずれか一方をスライドさせれば、両回転車２７，２７の回転を伴い、各連結部１６Ａ，１６Ｂが戸幅方向に互いに逆側に無端状伝動体２８とともに移動する。これに伴い、中央戸パネル２０が第１戸パネル１０Ａ及び第２戸パネル１０Ｂのうちのいずれか一方の移動速度に対して略１／２の移動速度で同方向に移動する。つまり、第１戸パネル１０Ａ及び第２戸パネル１０Ｂのうちのいずれか一方の移動量に対して中央戸パネル２０が同方向に略１／２移動する。
【００２５】
また、戸厚方向両側の戸パネル１０Ａ，１０Ｂは、図１及び図４に示すように、それぞれの下端部に中央戸パネル２０の下端部の戸厚方向両側に設けられたガイド部２２，２４をそれぞれに受け入れる凹溝１７Ａ，１７Ｂを設けた構成とされている。これら戸パネル１０Ａ，１０Ｂの凹溝１７Ａ，１７Ｂは、戸パネル１０Ａ，１０Ｂの下端面において下方側に向けて開口するように、かつ戸幅方向に延びるように設けられている。図例では、これら凹溝１７Ａ，１７Ｂを、各戸パネル１０Ａ，１０Ｂの戸幅方向の全体に亘って設けた構成としている。なお、図例では、これら凹溝１７Ａ，１７Ｂを、戸パネル１０Ａ，１０Ｂの下端部に埋込状に設けられた溝部材によって構成した例を示しているが、戸パネル１０Ａ，１０Ｂの下端部に切削等によって堀込状に直接的に設けた構成としてもよい。
【００２６】
また、中央戸パネル２０に設けられたガイド部２２，２４は、各戸パネル１０Ａ，１０Ｂの凹溝１７Ａ，１７Ｂに挿入（遊挿）されるピン状（突起状）とされている。
第１戸パネル１０Ａの下端側をガイドするガイド部２２は、中央戸パネル２０の第１端面２１側の端部に連結部材を介して固定されている。
第２戸パネル１０Ｂの下端側をガイドするガイド部２４は、中央戸パネル２０の第２端面２３側の端部に連結部材を介して固定されている。
各戸パネル１０Ａ，１０Ｂは、これらガイド部２２，２４が凹溝１７Ａ，１７Ｂに挿入され、戸厚方向への振れが抑制される。なお、図３では、各ガイド部２２，２４の連結部材の図示を省略している。また、戸厚方向両側の戸パネル１０Ａ，１０Ｂの下端側をガイドするガイド部２２，２４としては、上下方向に沿う軸回りに回転自在とされたローラーでもよい。
【００２７】
中央戸パネル２０の下端側をガイドするガイド部材４０は、図２及び図３に示すように、スライド方向に間隔を空けて複数箇所に配置される構成とされている。また、ガイド部材４０は、第１のガイド部材４０Ａ（４０Ｂ）のガイド部４３が凹溝３０に挿入された状態から第１のガイド部材４０Ａ（４０Ｂ）に加えて第２のガイド部材４０Ｂ（４０Ａ）のガイド部４３が凹溝３０に挿入される状態が生じるように配置される。また、詳細については後述するが、図１に示すように、中央戸パネル２０の凹溝３０の溝幅方向両側の溝内壁３３，３３には、溝幅方向中央側に向けて突出するように凸部３４，３４が設けられている。これら凸部３４，３４は、スライド方向先側に配置される第２のガイド部材４０Ｂ（４０Ａ）のガイド部４３が凹溝３０に挿入されていない状態で、中央戸パネル２０の下端側が戸厚方向に変位した際に第１のガイド部材４０Ａ（４０Ｂ）のガイド部４３に引っ掛かるように係止し、中央戸パネル２０のスライド方向先側への移動を抑制する構成とされている。
【００２８】
上記のような構成とすれば、常に少なくとも二つのガイド部材４０のガイド部４３が凹溝３０に挿入されるように多数のガイド部材４０を設けたものと比べて、ガイド部材４０の少数化を図ることができる。つまり、本実施形態では、中央戸パネル２０がスライドされる際に、一つのガイド部材４０のガイド部４３のみが凹溝３０に挿入された状態が生じる構成とされているので、多数のガイド部材４０を設ける必要性を低減することができる。
また、中央戸パネル２０が戸厚方向に押圧され、または引っ張られながらスライドされる際には、第１のガイド部材４０Ａ（４０Ｂ）のガイド部４３に凸部３４，３４が引っ掛かり、中央戸パネル２０のスライド方向先側への移動が抑制される。これにより、スライド方向先側に配置される第２のガイド部材４０Ｂ（４０Ａ）のガイド部４３の凹溝３０への挿入不良を抑制することができる。つまり、スライド方向先側に配置される第２のガイド部材４０Ｂ（４０Ａ）のガイド部４３が凹溝３０に挿入される前に、中央戸パネル２０のスライド方向先側への移動が抑制される。
【００２９】
また、これにより、中央戸パネル２０の下端側が戸厚方向に振れた状態で斜め状にスライドされることを抑制することができ、中央戸パネル２０の上端側をガイドするランナー部材２５，２６や上レール３６等のガイド機構への負荷を抑制することができる。また、第２のガイド部材４０Ｂ（４０Ａ）のガイド部４３が固定的に設けられた固定ピン状である場合にも、凹溝３０への挿入不良による中央戸パネル２０の下端部や第２のガイド部材４０Ｂ（４０Ａ）の損傷等を抑制することができる。
また、本実施形態のように、上記のような連動機構２７，２８を設けた構成とした場合には、上端側に設けられた連動機構２７，２８への負荷を効果的に抑制することができる。
【００３０】
本実施形態では、中央戸パネル２０の移動軌跡の直下に位置するように、スライド方向に間隔を空けて配置される二つのガイド部材４０，４０を備えた構成としている。これらガイド部材４０，４０は、図３（ａ）に示すように、中央戸パネル２０が開口５の開口幅方向略中央に位置された状態（閉鎖位置）で、中央戸パネル２０の戸幅方向の各端部の直下に位置するように配される。つまり、中央戸パネル２０が閉鎖位置では、これらガイド部材４０，４０の各ガイド部４３，４３が凹溝３０の溝長手方向（戸幅方向）両端部のそれぞれに挿入された状態となる。
また、これらガイド部材４０，４０のうちの第２縦枠４Ｂ側のガイド部材４０Ａは、全開状態とされて中央戸パネル２０が第２縦枠４Ｂ側に位置した状態（図３（ｂ）に示す状態）で、中央戸パネル２０の第１端面２１側の端部の直下に位置するように配される。また、これらガイド部材４０，４０のうちの第１縦枠４Ａ側のガイド部材４０Ｂは、図示は省略しているが、全開状態とされて中央戸パネル２０が第１縦枠４Ａ側に位置した状態で、中央戸パネル２０の第２端面２３側の端部の直下に位置するように配される。
【００３１】
中央戸パネル２０が第２縦枠４Ｂ側から第１縦枠４Ａ側に移動する際には、第２縦枠４Ｂ側のガイド部材４０Ａが第１のガイド部材を構成し、第１縦枠４Ａ側のガイド部材４０Ｂがスライド方向先側に配置される第２のガイド部材を構成する。
また、中央戸パネル２０が第１縦枠４Ａ側から第２縦枠４Ｂ側に移動する際には、第１縦枠４Ａ側のガイド部材４０Ｂが第１のガイド部材を構成し、第２縦枠４Ｂ側のガイド部材４０Ａがスライド方向先側に配置される第２のガイド部材を構成する。
なお、第２縦枠４Ｂ側のガイド部材４０Ａ及び第１縦枠４Ａ側のガイド部材４０Ｂの区別を要しない場合には、ガイド部材４０，４０として説明する。また、これらガイド部材４０，４０は、互いに同様の構成であるので、具体的構成について、一方を例にとって以下に説明する。
【００３２】
本実施形態では、ガイド部材４０を、図４に示すように、磁石４４を設けたガイド部４３を上下方向に出没自在に収容し、床に埋め込まれるように配設されるマグネットガイドとしている。また、ガイド部材４０は、床に埋込状に配設されるケーシング４１を備えている。ガイド部４３は、このケーシング４１に対して上下方向に出没自在とされ、上端部となる突出方向先端部に磁石４４を埋込状に設けた構成とされている。また、このガイド部４３は、上下方向に軸方向を沿わせた略円柱状とされている。また、ガイド部材４０に、このガイド部４３よりも大径状とされ、このガイド部４３とによって伸縮ピンを構成する外筒部４２を設けた構成としている。つまり、ガイド部材４０は、ガイド部４３と外筒部４２とからなる二段階伸縮構造とされている。なお、ガイド部材４０としては、このような構成とされたものに限られず、その他、種々の構成とされたものでもよい。
【００３３】
中央戸パネル２０の凹溝３０は、図１に示すように、当該中央戸パネル２０の戸幅方向の全体に亘って設けられている。また、この凹溝３０は、当該中央戸パネル２０の下端面において下方側に向けて開口するように、かつ戸幅方向に延びるように設けられている。
この凹溝３０の溝底側には、図４に示すように、ガイド部材４０のガイド部４３の磁石４４を吸引して上方側に向けて突出させる吸引部３５が設けられている。このような吸引部３５としては、凹溝３０の溝長手方向に長尺状とされた鉄板等の強磁性体でもよく、ガイド部４３の磁石４４と互いに吸引するように配された磁石でもよい。例えば、凹溝３０の溝長手方向両端部に、吸引部３５としての磁石を設け、これら磁石間に吸引部３５としての強磁性体を設けた構成としてもよい。また、この凹溝３０は、中央戸パネル２０の下端部に設けられた受入溝に嵌め込まれて埋込状に設けられた溝部材に設けられている。
【００３４】
また、本実施形態では、この凹溝３０の溝長手方向両端部の溝幅方向両側の溝内壁３３，３３に、凸部３４，３４，３４，３４を設けた構成としている。つまり、凹溝３０における第１端面２１側の端部の溝幅方向両側の溝内壁３３，３３に凸部３４，３４を設け、凹溝３０における第２端面２３側の端部の溝幅方向両側の溝内壁３３，３３に凸部３４，３４を設けた構成としている。このような構成とすれば、中央戸パネル２０が上レール３６に沿って戸幅方向両側のいずれ側に移動する際にも、スライド方向先側の第２のガイド部材４０Ａ，４０Ｂのガイド部４３の凹溝３０への挿入不良を抑制することができる。
凸部３４，３４，３４，３４の突出寸法は、ガイド部４３の係止が可能なように、また、互いに向き合うように突出する凸部３４，３４間をガイド部４３の通過が可能なように、ガイド部４３の戸厚方向に沿う寸法（径）に応じて適宜の寸法としてもよい。
【００３５】
第１端面２１側の端部の凸部３４，３４は、中央戸パネル２０が第１縦枠４Ａ側から第２縦枠４Ｂ側に向けて移動する際に、下端側が戸厚方向に変位されれば、第１のガイド部材を構成する第１縦枠４Ａ側のガイド部材４０Ｂのガイド部４３に引っ掛かるように係止する。これら第１端面２１側の端部の凸部３４，３４は、溝長手方向で略一致した位置となるように設けられている。つまり、これら第１端面２１側の端部の凸部３４，３４は、戸厚方向に見て、互いに重なり合う位置となるように設けられている。
また、これら第１端面２１側の端部の凸部３４，３４は、第１縦枠４Ａ側のガイド部材４０Ｂのガイド部４３に引っ掛かるように係止した状態で、第２縦枠４Ｂ側のガイド部材４０Ａのガイド部４３に第２端面２３が近接した位置となるように設けられたものでもよい。
【００３６】
第２端面２３側の端部の凸部３４，３４は、中央戸パネル２０が第２縦枠４Ｂ側から第１縦枠４Ａ側に向けて移動する際に、下端側が戸厚方向に変位されれば、第１のガイド部材を構成する第２縦枠４Ｂ側のガイド部材４０Ａのガイド部４３に引っ掛かるように係止する。これら第２端面２３側の端部の凸部３４，３４は、上記同様、溝長手方向で略一致した位置となるように設けられている。また、これら第２端面２３側の端部の凸部３４，３４は、第２縦枠４Ｂ側のガイド部材４０Ａのガイド部４３に引っ掛かるように係止した状態で、第１縦枠４Ａ側のガイド部材４０Ｂのガイド部４３に第１端面２１が近接した位置となるように設けられたものでもよい。
【００３７】
また、本実施形態では、これら凸部３４，３４，３４，３４の溝長手方向外側に向く面を、突出方向先端から基端側の溝内壁３３，３３に向けて下るように傾斜する傾斜面３４ａ，３４ａ，３４ａ，３４ａとしている。このような構成とすれば、溝長手方向外側から受け入れた各ガイド部材４０のガイド部４３に対して中央戸パネル２０が移動する際に、凹溝３０の凸部３４，３４，３４，３４にガイド部４３が引っ掛かるようなことを抑制することができる。
これら凸部３４，３４，３４，３４の傾斜面３４ａ，３４ａ，３４ａ，３４ａは、溝長手方向外側で溝幅方向中心側に向くように傾斜状に設けられている。換言すれば、これら傾斜面３４ａ，３４ａ，３４ａ，３４ａは、溝長手方向中央側に向かうに従い徐々に溝幅を小さくするように設けられている。
【００３８】
これら傾斜面３４ａ，３４ａ，３４ａ，３４ａの溝内壁３３，３３に対する傾斜角度は、溝長手方向外側から受け入れたガイド部４３が引っ掛かり難いように適宜の角度としてもよい。図例では、凸部３４の溝長手方向外側の溝内壁３３と傾斜面３４ａとのなす角を、１３０度程度とした例を示しているが、１１０度〜１５０度程度としてもよい。
また、これら凸部３４，３４，３４，３４の係止面となる溝長手方向中央側に向く面は、ガイド部４３の係止が可能なように、適宜の形状としてもよい。図例では、これら凸部３４，３４，３４，３４の溝長手方向中央側に向く面を、溝内壁３３，３３に対して略直交状とされた平坦面とした例を示している。
【００３９】
また、本実施形態では、凹溝３０は、凸部３４，３４，３４，３４よりも溝長手方向外側部位となる外側溝部３１，３１の溝幅が溝長手方向中央側部位となる中央側溝部３２の溝幅よりも大とされている。このような構成とすれば、各ガイド部材４０のガイド部４３を溝長手方向外側から凹溝３０に受け入れる際には、円滑に受け入れることができる。また、各ガイド部材４０のガイド部４３が凹溝３０の溝長手方向中央側部位に位置する際には、戸厚方向へのがたつきを低減することができる。
本実施形態では、凹溝３０の溝長手方向両端側部位となる外側溝部３１，３１の溝幅を、溝長手方向両側の凸部３４，３４，３４，３４間の中央側溝部３２の溝幅よりも大としている。つまりは、凹溝３０は、溝長手方向両端側に幅広の外側溝部３１，３１を設け、溝長手方向中央側に幅狭の中央側溝部３２を設けた構成とされている。また、これら溝長手方向両端側の外側溝部３１，３１と中央側溝部３２との境界部に位置するように凸部３４，３４，３４，３４を設けた構成としている。
【００４０】
中央側溝部３２は、凹溝３０の一方側（第１端面２１側）の端部の凸部３４，３４から凹溝３０の他方側（第２端面２３側）の端部の凸部３４，３４に至るまで設けられている。この中央側溝部３２は、溝幅方向中心が中央戸パネル２０の戸厚方向略中心に位置するように設けられている。また、この中央側溝部３２は、全長に亘って略一様な溝幅寸法とされている。また、この中央側溝部３２の溝幅寸法は、ガイド部４３の係止が可能なように適宜の突出寸法とされる凸部３４，３４，３４，３４の突出寸法に応じて適宜の寸法としてもよい。
溝長手方向両側の外側溝部３１，３１は、各端部の凸部３４，３４，３４，３４から凹溝３０の溝長手方向両側の外側開口に至るまで設けられている。これら外側溝部３１，３１は、溝幅方向中心が中央戸パネル２０の戸厚方向略中心に位置するように設けられている。また、これら外側溝部３１，３１は、全長に亘って略一様な溝幅寸法とされている。
また、これら外側溝部３１，３１及び中央側溝部３２からなる凹溝３０の溝深さ寸法は、突出状態とされたガイド部４３の上下方向に沿う寸法よりも小とされている。この凹溝３０の溝深さ寸法は、全長に亘って略一様な寸法とされている。
【００４１】
上記のような構成とされた引戸装置１において、図１に示すように、戸厚方向一方側の第１戸パネル１０Ａの開閉側端部（把手１２）が戸厚方向他方側に向けて押圧されれば、反開閉側端部が戸厚方向一方側となるように平面視して斜め状となる。なお、この第１戸パネル１０Ａの開閉側端部（把手１３）が戸厚方向他方側に向けて引っ張られた場合にも同様に斜め状となる。このように第１戸パネル１０Ａが斜め状となれば、凹溝１７Ａに挿入された中央戸パネル２０のガイド部２２が戸厚方向一方側に変位し、中央戸パネル２０も第１戸パネル１０Ａと平行状に斜め状となる。このような状態で、第１戸パネル１０Ａが第１縦枠４Ａ側に向けてスライドされれば、中央戸パネル２０のスライド方向先側に配置される第１縦枠４Ａ側のガイド部材４０Ｂを凹溝３０に受け入れ難い状態となる。本実施形態では、このような挿入不良が生じる前に、図１（ｂ）に示すように、第２端面２３側の溝幅方向一方の凸部３４が第２縦枠４Ｂ側のガイド部材４０Ａのガイド部４３に引っ掛かるように係止し、中央戸パネル２０のスライド方向先側への移動が抑制される。
【００４２】
これにより、操作者に中央戸パネル２０（及び他の戸パネル１０Ａ，１０Ｂ）が斜め状にスライドされていることを認識させることができる。また、操作者が第１戸パネル１０Ａを斜め状とならないように移動させれば、ガイド部４３への凸部３４の係止が解除され、中央戸パネル２０のスライド方向先側への移動が可能となる。つまり、凸部３４，３４間をガイド部４３が相対的に通過するようにして中央戸パネル２０がスライド方向先側に移動し、また、第１縦枠４Ａ側のガイド部材４０Ｂを凹溝３０に受入可能となる。なお、説明を省略するが、戸厚方向他方側の第２戸パネル１０Ｂの開閉側端部が押圧されたり、引っ張られたりした状態で、第２縦枠４Ｂ側に向けてスライドされる際にも同様である。
【００４３】
また、中央戸パネル２０の下端部に設けられる凹溝３０は、上記のような構成とされたものに限られず、種々の変形が可能である。例えば、外側溝部３１，３１及び中央側溝部３２の溝幅寸法を互いに同寸法としたり、凸部３４の溝長手方向外側に向く面を溝内壁３３に対して略直交状とされた平坦面としたりしてもよい。また、凹溝３０の溝長手方向一端部のみに、凸部３４，３４を設けた態様としてもよい。
また、連動機構２７，２８としては、上記のような構成とされたものに限られない。例えば、閉鎖した状態で戸厚方向に重合する端部（召し合せ部）等に、互いに引っ掛けられる引掛部等を閉鎖側へスライド移動させる際の連動機構として設けた態様としてもよい。本実施形態に係る引戸装置１が備える各部の具体的構成としては、その他、種々の変形が可能である。
【００４４】
次に、本発明の他の実施形態に係る引戸装置の一例について、図５を参照しながら説明する。
なお、以下の各実施形態では、上記第１実施形態との相違点について主に説明し、同様の構成については、同一の符号を付し、その説明を省略または簡略に説明する。
【００４５】
図５（ａ）は、第２実施形態に係る引戸装置１Ａの一例を模式的に示す図である。
本実施形態に係る引戸装置１Ａは、戸厚方向に重合するように引き違い状に配設される二枚の戸パネル１０Ｃ，２０Ａを備えた構成とされている。また、これら二枚の戸パネル１０Ｃ，２０Ａが全開された際に納められる袖壁部７を壁体２に設けた構成としている。つまり、本実施形態では、二枚の戸パネル１０Ｃ，２０Ａを戸厚方向に重合させて袖壁部７に沿わせるように配設した状態で、これら戸パネル１０Ｃ，２０Ａの戸先側に、出入口が形成される構成とされている。
また、開口枠は、三方枠を構成する上枠３Ａ、戸先側縦枠４Ｃ及び戸尻側縦枠４Ｄに加えて戸先側縦枠４Ｃとによって開口５Ａの開口幅方向両側を区画する中方立（中間縦枠）６を備えている。この中方立６は、袖壁部７の開口５Ａ側の端部に沿うように設けられている。また、戸尻側縦枠４Ｄは、袖壁部７の壁厚に応じて戸先側縦枠４Ｃよりも見込寸法（壁厚方向に沿う寸法）が小とされている。また、上枠３Ａは、袖壁部７の壁厚に応じて、袖壁部７側部位の見込寸法が開口５Ａ側部位の見込寸法よりも小とされている。
【００４６】
二枚の戸パネル１０Ｃ，２０Ａのうちの一方は、閉鎖位置において戸先側縦枠４Ｃに当接または近接される戸先側戸パネル１０Ｃとされ、他方がガイド部材４０に下端側がガイドされる袖壁側戸パネル２０Ａとされている。これら二枚の戸パネル１０Ｃ，２０Ａは、上記と概ね同様、戸先側戸パネル１０Ｃのスライド移動に連動させて袖壁側戸パネル２０Ａをスライドさせる連動機構を備えた構成とされたものでもよい。
戸先側戸パネル１０Ｃは、上記と概ね同様、戸先側端部の戸厚方向両側に把手１２，１３を設けた構成とされている。この戸先側戸パネル１０Ｃは、図５（ａ）において二点鎖線にて示すように、全開位置において、戸尻側端面が戸尻側縦枠４Ｄに当接または近接され、戸先側端部が開口５Ａ側において把手１２，１３の操作が可能なように開口５Ａ側に位置する構成とされている。つまり、この戸先側戸パネル１０Ｃの戸幅寸法は、袖壁部７の壁幅寸法に中方立６の壁幅方向に沿う寸法を足し合わせた寸法よりも大とされている。また、この戸先側戸パネル１０Ｃの下端部には、上記同様の凹溝１７Ａが設けられている。
【００４７】
袖壁側戸パネル２０Ａは、閉鎖位置において、戸先側端部が戸先側戸パネル１０Ｃの戸尻側端部と戸厚方向に重合し、戸尻側端部が中方立６及び袖壁部７の中方立６側端部と戸厚方向に重合するように配設される。また、袖壁側戸パネル２０Ａは、図５（ａ）において二点鎖線にて示すように、全開位置において、戸尻側端面が戸尻側縦枠４Ｄに当接または近接され、戸先側端面が中方立６の開口５Ａ側に向く見込面と略同一平面状となるように配設される。つまり、この袖壁側戸パネル２０Ａの戸幅寸法は、袖壁部７の壁幅寸法に中方立６の壁幅方向に沿う寸法を足し合わせた寸法と略同寸法とされている。つまりは、この袖壁側戸パネル２０Ａの戸幅寸法は、戸先側戸パネル１０Ｃの戸幅寸法よりも小とされている。
【００４８】
また、この袖壁側戸パネル２０Ａの下端部には、上記と概ね同様の凹溝３０Ａが設けられている。この凹溝３０Ａの溝長手方向両端部の溝幅方向両側の溝内壁３３，３３には、上記と概ね同様、凸部３４，３４，３４，３４が設けられている。図例では、上記第１実施形態よりも外側溝部３１，３１の溝長手方向に沿う寸法を大とした例を示しているが、袖壁側戸パネル２０Ａの戸幅寸法や各ガイド部材４０，４０の配設位置等に応じて適宜の形状とすればよい。
また、本実施形態においても、この袖壁側戸パネル２０Ａが閉鎖位置において、この袖壁側戸パネル２０Ａの戸幅方向の各端部の直下に位置するように配設される二つのガイド部材４０，４０を備えた構成としている。
【００４９】
上記のような構成とされた本実施形態に係る引戸装置１Ａにおいても、上記した第１実施形態と概ね同様の効果を奏する。つまり、戸先側戸パネル１０Ｃの戸先側端部が押圧されたり、引っ張られたりすれば、袖壁側戸パネル２０Ａが斜め状となる。このような状態でスライドされた場合にも、上記同様、袖壁側戸パネル２０Ａのスライド方向先側に配置されるガイド部材４０の凹溝３０Ａへの挿入不良を抑制することができる。
なお、本実施形態では、戸先側戸パネル１０Ｃと袖壁側戸パネル２０Ａとを開口５Ａ側において戸厚方向に重合させた状態で、開放側に向けて移動させる可能性は低いため、戸先側端部の凸部３４，３４を設けていない構成としてもよい。
また、本実施形態では、二枚の戸パネル１０Ｃ，２０Ａを袖壁納めで設けた例を示しているが、上記第１実施形態と概ね同様、袖壁部７を設けていない両側の縦枠４Ａ，４Ｂ間に設けた態様としてもよい。
また、袖壁側戸パネル２０Ａの下端部の凹溝３０Ａ等、引戸装置１Ａを構成する各部の具体的構成としては、上記のような構成とされたものに限られず、上記第１実施形態同様、その他、種々の変形が可能である。
【００５０】
図５（ｂ）は、第３実施形態に係る引戸装置１Ｂの一例を模式的に示す図である。
本実施形態に係る引戸装置１Ｂは、片引き状に配設される一枚の戸パネル２０Ｂを備えた構成とされている。また、本実施形態では、この戸パネル２０Ｂを、全開位置において壁体２の壁厚方向一方面に沿うように納められるアウトセット納めで建て付けた構成としている。つまり、本実施形態では、この戸パネル２０Ｂを開口５Ｂの開口幅方向一方側の壁体２の壁厚方向一方面に沿わせるように配設した状態で、この戸パネル２０Ｂの戸先側に、出入口が形成される構成とされている。
また、本実施形態では、戸先側縦枠４Ｅは、見込方向（壁厚方向）一方側端部にアウトセット状に配された戸パネル２０Ｂの戸先側端面が当接されるように、該一方側端部が壁体２の壁厚方向一方側面よりも壁厚方向一方側に突出する構成とされている。戸尻側縦枠４Ｆは、見込方向一方側端面が戸パネル２０Ｂの戸厚方向壁体２側に向く面に近接して対向するように、見込寸法が戸先側縦枠４Ｅよりも小とされている。なお、閉鎖位置の戸パネル２０Ｂの戸先側端面に当接されるように戸先側縦枠４Ｅの一方側端部が壁厚方向一方側に突出される構成に代えて、戸先側縦枠４Ｅの見込寸法を戸尻側縦枠４Ｆの見込寸法と略同寸法としてもよい。
【００５１】
戸パネル２０Ｂは、上記と概ね同様、戸先側端部の戸厚方向両側に把手１２，１３を設けた構成とされている。また、この戸パネル２０Ｂは、閉鎖位置において、戸先側端面が戸先側縦枠４Ｅに当接され、戸尻側端部が戸尻側縦枠４Ｆと戸厚方向に重合するように配設される。また、戸パネル２０Ｂは、図５（ｂ）において二点鎖線にて示すように、全開位置において、戸先側端部が開口５Ｂ側において把手１２，１３の操作が可能なように開口５Ｂ側に位置する構成とされている。
本実施形態では、引戸装置１Ｂは、この戸パネル２０Ｂの移動軌跡の直下に位置するように、スライド方向に間隔を空けて配置される三つのガイド部材として、第１のガイド部材４０Ｃと第２のガイド部材４０Ｄと第３のガイド部材４０Ｅとを備えている。これらガイド部材４０Ｃ，４０Ｄ，４０Ｅは、互いに同様の構成とされている。
【００５２】
本実施形態では、第１のガイド部材４０Ｃを、全開位置の戸パネル２０Ｂの戸幅方向中央側部位の直下に位置するように配置される構成としている。また、第２のガイド部材４０Ｄを、全開位置の戸パネル２０Ｂの戸先側のスライド方向先側に位置し、かつ閉鎖位置の戸パネル２０Ｂの戸尻側端部の直下に位置するように配置される構成としている。また、第３のガイド部材４０Ｅを、閉鎖位置の戸パネル２０Ｂの戸先側端部の直下に位置するように配置される構成としている。
また、本実施形態では、戸パネル２０Ｂが閉鎖位置から開放側に移動する際には、単一のガイド部材のガイド部４３が凹溝３０Ｂに挿入された状態からこれに加えて二つ目のガイド部材のガイド部４３が凹溝３０Ｂに挿入される状態が生じない構成とされている。つまり、戸パネル２０Ｂが閉鎖位置から開放側に移動する際には、第３のガイド部材４０Ｅ及び第２のガイド部材４０Ｄのガイド部４３，４３が凹溝３０Ｂに挿入された状態で、第１のガイド部材４０Ｃのガイド部４３が凹溝３０Ｂに挿入される構成とされている。
【００５３】
一方、戸パネル２０Ｂが全開位置から閉鎖側に移動する際には、上記同様、第１のガイド部材４０Ｃのガイド部４３が凹溝３０Ｂに挿入された状態からこれに加えて第２のガイド部材４０Ｄのガイド部４３が凹溝３０Ｂに挿入される状態が生じる。凹溝３０Ｂの溝幅方向両側の溝内壁３３，３３の凸部３４，３４は、戸パネル２０Ｂが全開位置から閉鎖側に移動する際に下端側が戸厚方向に変位されれば、第１のガイド部材４０Ｃのガイド部４３に引っ掛かるように設けられている。つまり、本実施形態では、凸部３４，３４を、凹溝３０Ｂの中央側溝部３２Ａの適所に設けた構成としている。つまりは、本実施形態では、溝長手方向両端側の幅広状の外側溝部３１Ａ，３１Ａと幅狭状の中央側溝部３２Ａとの境界部に凸部を設けていない構成としている。
これら凸部３４，３４は、上記と概ね同様、溝長手方向戸尻側に向く面が傾斜面３４ａ，３４ａとされ、溝長手方向戸先側に向く面が係止面とされている。
【００５４】
上記のような構成とされた本実施形態に係る引戸装置１Ｂにおいても、上記した第１実施形態と概ね同様の効果を奏する。つまり、全開側に位置する戸パネル２０Ｂの戸先側端部が押圧されたり、引っ張られたりすれば、当該戸パネル２０Ｂが斜め状となる。このような状態でスライドされた場合にも、上記同様、戸パネル２０Ｂのスライド方向先側に配置される第２のガイド部材４０Ｄの凹溝３０Ｂへの挿入不良を抑制することができる。
なお、本実施形態では、戸パネル２０Ｂをアウトセット納めで設けた例を示しているが、上記第２実施形態と概ね同様、袖壁納めで設けた態様としてもよい。
また、戸パネル２０Ｂの下端部の凹溝３０Ｂ等、引戸装置１Ｂを構成する各部の具体的構成としては、上記のような構成とされたものに限られず、上記第１実施形態同様、その他、種々の変形が可能である。
【００５５】
また、上記各実施形態では、引違状に配される二枚または三枚の戸パネルを備えた引戸装置１，１Ａ及び片引き状に配される一枚の戸パネル２０Ｂを備えた引戸装置１Ｂを例示したが、このような態様に限られない。例えば、引違状に配される四枚以上の戸パネルを備えたものでもよく、引き分け状に配される複数枚の戸パネルを備えたものでもよい。これらの場合には、ガイド部材４０の配設位置や個数、凹溝３０，３０Ａ，３０Ｂの形状等を適宜、必要に応じて変形するようにすればよい。
【符号の説明】
【００５６】
１，１Ａ，１Ｂ        引戸装置
２０                  中央戸パネル（戸パネル）
２０Ａ                袖壁側戸パネル（戸パネル）
２０Ｂ                戸パネル
２７                  回転車（連動機構）
２８                  無端状伝動体（連動機構）
３０，３０Ａ，３０Ｂ  凹溝
３１                  外側溝部（戸幅方向外側部位）
３２                  中央側溝部（戸幅方向中央側部位）
３３                  溝内壁
３４                  凸部
３４ａ                傾斜面
３６                  上レール
４０                  ガイド部材
４０Ａ                第１のガイド部材（第２のガイド部材）
４０Ｂ                第２のガイド部材（第１のガイド部材）
４０Ｃ                第１のガイド部材
４０Ｄ                第２のガイド部材
４３                  ガイド部
【図１】
2018155002.tif 000003
【図２】
2018155002.tif 000004
【図３】
2018155002.tif 000005
【図４】
2018155002.tif 000006
【図５】
2018155002.tif 000007